(57)【要約】      （修正有）【課題】装着作業において不便且つ困難を感じることなく、迅速、且つ正確、簡単に装着することができると共に理想的な装着状態を達成することができる壁掛けラック装着用図板を提供する。【解決手段】壁掛けラックを収納する収納空間を具備する１つのパッケージと、パッケージの任意の場所に設置され、壁掛けラックの設置端の設置孔と相対する位置に1：1の比率で標示されたネジ穴位置標示図を具備する１つの図板とからなる構成とされる。【選択図】図１
0003100684.tif 000002
【実用新案登録請求の範囲】
【請求項１】
壁掛けラックを収納する収納空間を具備する１つのパッケージと、
上記パッケージの任意の場所に設置され、上記壁掛けラックの設置端の設置孔と相対する位置に1：1の比率で標示されたネジ穴位置標示図を具備する１つの図板とからなることを特徴とする壁掛けラック装着用図板。
【請求項２】
上記パッケージは、上パッケージ板、下パッケージ板からなり、
上記上パッケージ板は、上記壁掛けラックを設置することができる上記収納空間を形成し、上記上パッケージ板、上記下パッケージ板は、それぞれの周辺が圧迫結合されることにより一体化させ、上記パッケージの上端付近に吊り掛け孔を有することにより、吊り掛け式中空空間形態を有し、
上記図板は、上記上パッケージ板、上記下パッケージ板の中に設置され、上記壁掛けラックの組み立て見取り図として付属されることを特徴とする請求項１記載の壁掛けラック装着用図板。
【請求項３】
上記パッケージは、１つのパッケージ板と１つの図板とからなるパッケージでもよく、上記パッケージ板は上記壁掛けラックを収納する収納空間を形成し、両側端に嵌合縁を有し、上記図板を上記嵌合縁内に設置することにより、上記図板は上記パッケージの後板となることを特徴とする請求項１記載の壁掛けラック装着用図板。
【請求項４】
上記図板は、１つの付属カバー内に設置する図板でもよく、上記付属カバーをパッケージの任意の外側面に結合させることを特徴とする請求項１記載の壁掛けラック装着用図板。
【請求項５】
上記図板の上記ネジ穴位置標示図は、上記壁掛けラックの後方透視図で、上記壁掛けラックの外観線と設置端位置標示線と設置孔位置標示線とを含むことを特徴とする請求項１記載の壁掛けラック装着用図板。
【請求項６】
上記図板上の上記ネジ穴位置標示図の上記設置端位置標示線と上記設置孔位置標示線の所に切り込み線を設けることを特徴とする請求項５記載の壁掛けラック装着用図板。
【請求項７】
上記図板は、側縁に寸法線を印刷することを特徴とする請求項１記載の壁掛けラック装着用図板。
【請求項８】
上記壁掛けラックを収納することができる収納空間を具備する１つのパッケージと、
上記パッケージの１つの面に一体成型される１つの図板とからなり、
上記図板は、上記壁掛けラックの上記設置端の上記設置孔と相対する位置に1：1の比率で標示された上記ネジ穴位置標示図を具備することを特徴とする壁掛けラック装着用図板。
【請求項９】
上記図板の上記ネジ穴位置標示図は、上記壁掛けラックの後方透視図で、上記壁掛けラックの外観線と設置端位置標示線と設置孔位置標示線とを含むことを特徴とする請求項８記載の壁掛けラック装着用図板。
【請求項１０】
上記図板上の上記ネジ穴位置標示図の上記設置端位置標示線と上記設置孔位置標示線の所に切り込み線を設けることを特徴とする請求項８記載の壁掛けラック装着用図板。
【請求項１１】
上記図板は、側縁に寸法線を印刷することを特徴とする請求項８記載の壁掛けラック装着用図板。
【請求項１２】
上記壁掛けラックを収納することができる収納空間を具備する１つのパッケージと、
上記パッケージの１つの面に一体成型される１つの図板とからなり、
上記図板は、上記壁掛けラックの上記設置端の上記設置孔と相対する位置に1：1の比率で標示された上記ネジ穴位置標示図を具備し、
上記図板は、フレーム状切り込み線により上記パッケージと半連結状態であり、上記図板だけを切り離し、単独で使用することができることを特徴とする壁掛けラック装着用図板。
【請求項１３】
上記フレーム状切り込み線は、少なくとも１つの角に扇状切り込み線を有し、上記扇状切り込み線を有することにより、指で上記図板を切り離しやすくしたことを特徴とする請求項１２記載の壁掛けラック装着用図板。
【請求項１４】
上記図板の上記ネジ穴位置標示図は、上記壁掛けラックの後方透視図で、上記壁掛けラックの外観線と設置端位置標示線と設置孔位置標示線とを含むことを特徴とする請求項１２記載の壁掛けラック装着用図板。
【請求項１５】
上記図板上の上記ネジ穴位置標示図の上記設置端位置標示線と上記設置孔位置標示線の所に切り込み線を設けることを特徴とする請求項１２記載の壁掛けラック装着用図板。
【請求項１６】
上記図板は、側縁に寸法線を印刷することを特徴とする請求項１２記載の壁掛けラック装着用図板。
【考案の詳細な説明】
【技術分野】
【０００１】
本考案は壁掛けラック装着用図板に係るものであり、特に、迅速且つ正確に装着することができる壁掛けラック装着用図板に係るものである。
【背景技術】
【０００２】
一般的に壁掛けラックとは壁に掛けることができる架体で、市場において現在販売されている壁掛けラック機能を有するものは多種存在する（タオルラック、石鹸ラック、吊り掛けラック等）。使用者（消費者）は、自分で組み立てて（ＤＩＹ形式)、壁に設置しなければならない。図１６は、従来の壁掛けラックの設置端の構造を示す分解斜視図である。図１７は、従来の壁掛けラックの設置端を壁に設置した状態を示す断面図である。図１６、図１７に示すように、一般的に壁掛けラック６０の設置端６１の構造において、壁掛けラック６０は設置端６１と壁の間に１つの固定板６２を有し、固定板６２は設置孔６３を有し、且つ、１つの側に嵌合縁６４を有し、壁掛けラック６０の設置端６１は１つの側に１つのネジ穴６５を有する。１つの固定ネジ６６により壁掛けラック６０の設置端６１を嵌合縁６４上にネジ固定することができ、このような構造により、壁掛けラック６０を壁に設置することができる。
【０００３】
使用者は、壁上の固定板６２の設置孔６３に相対する位置に穴６７を開け、次に雌ネジアンカー６８を壁内に埋め込み、設置孔６３と雌ネジアンカー６８を相対させ、ネジ６９により固定板６２を壁に固定する。更に、壁掛けラック６０の設置端６１を固定板６２に組み付け、固定ネジ６６により固定する（図１７）、という順序で設置する方法が一般的である。また、壁掛けラック６０のパッケージには壁掛けラック６０の寸法図を具備するものも数多くあり、使用者は図に従って装着すればよい。
【考案の開示】
【考案が解決しようとする課題】
【０００４】
しかしながら、上記設置方法において、実際には使用者の多くがＤＩＹ上級者とは限らないため、穴開け標示点を壁上に正確に描くという１つの過程においてさえ、簡単に誤差を生じてしまいやすいという問題点があった。また、後で、穴の位置が合わなかったり、装着後ラックが傾くなどの問題が発生し、理想的な装着状態を達成するのは難しく、使用者は装着作業において不便且つ困難を感じるという問題点があった。
【０００５】
本考案は、装着作業において不便且つ困難を感じることなく、迅速、且つ正確、簡単に装着することができると共に理想的な装着状態を達成することができる壁掛けラック装着用図板を提供することを目的とする。
【課題を解決するための手段】
【０００６】
前記の目的を図るために、本考案は、壁掛けラックのパッケージ上に設置或は一体成型により１つの図板を有し、上記図板上に上記壁掛けラックの設置端の設置孔の位置と相対するネジ穴位置標示図を具備することも最も主要な特徴とする。
【考案の効果】
【０００７】
本考案の壁掛けラック装着用図板において、装着作業において不便且つ困難を感じることなく、迅速、且つ正確、簡単に装着することができると共に理想的な装着状態を達成することができる。
【０００８】
また、壁掛けラックのパッケージと図板が結合し、図板がパッケージの外から見やすい為、消費者に設置の簡単さをアピールすることができ、商品の付加価値を高め、更に消費者の購買意欲を高めることができる。
【０００９】
また、図板とパッケージとを一体成型する構造により、製造者はコストを増やすことなく、迅速且つ、正確に装着を行なうことができる商品提供の目的を達成することができ、又、産業利用されやすいという特徴がある。
【考案を実施するための最良の形態】
【００１０】
以下に添付図面を参照して本考案のある好適な実施の形態を詳細に説明するが、それらの構成は本考案の構造の絶対的な制限にならない。図１は、本考案の第１実施例に係る壁掛けラック装着用図板を示す斜視図である。図２は、壁掛けラック装着用図板を組み合わせた状態を示す断面図である。図３は、壁掛けラック装着用図板のネジ穴位置標示図の局部を示す平面図である。図１、２、３は本考案の壁掛けラック装着用図板の構造を示す第一実施例図で、壁掛けラック０５（タオルラックを例として図中に示した）を収納することができる収納空間１３Ａを具備する１つのパッケージ１０Ａを有する。また、パッケージ１０Ａの任意の場所に設置され、壁掛けラック０５の設置端０６を固定する為の（固定板の）設置孔０６１と相対する位置に1：1の比率で標示されたネジ穴位置標示図２１を具備する１つの図板２０Ａとで構成される。
【００１１】
上記パッケージ１０Ａは、図１、２に示すように、上パッケージ板１１、下パッケージ板１２とで構成される。上パッケージ板１１は、壁掛けラック０５を設置することができる収納空間１３Ａを形成する。また、上パッケージ板１１、下パッケージ板１２はそれぞれの周辺Ａが圧迫結合されることにより一体化できる。また、パッケージ１０Ａの上端付近に吊り掛け孔１４を有することにより、吊り掛け式中空空間形態を有する。図板２０Ａは、上パッケージ板１１、下パッケージ板１２の中に設置され、壁掛けラック０５の組み立て見取り図として付属される。図板２０Ａのネジ穴位置標示図２１は、壁掛けラック０５の後方透視図で、壁掛けラック０５の外観線２１３と設置端位置標示線２１５と設置孔位置標示線２１７とを含む。
【００１２】
上記構造の特徴により、主に、図板２０Ａは上記壁掛けラック０５を設置する前に、壁にドリル３０で穴を開ける位置に印をつける為の補助具となる。図４は、壁掛けラック装着用図板の設置例を示す斜視図である。図４に示すように、図板２０Ａは壁に押しつけ、或は一時的に壁に貼り、図板２０Ａ上の設置孔位置標示線２１７の位置にペン等により印をつける。これにより、簡単且つ正確にドリル３０の穴の位置に印をつけることができ、図板２０Ａを取り外した後、ドリル３０で穴開けを行なうこともできる。
【００１３】
図５は、壁掛けラック装着用図板の設置例を示す斜視図である。図５に示すように、図板２０Ａを取り外さずに直接、図板２０Ａ上の設置孔位置標示線２１７の所にドリル３０で穴を開けることもできる（これが本考案の図板２０Ａの用途及び使用方法である）。壁掛けラック０５の設置端０６を壁に設置する作業については従来の技術の中で説明してあり、本考案の説明中重複するので説明を省略する。
【００１４】
また、図３に示すように、図板２０Ａ上のネジ穴位置標示図２１の設置端位置標示線２１５と設置孔位置標示線２１７の所に切り込み線Ｌ１、Ｌ２、Ｌ３が設けられている。図６は、壁掛けラック装着用図板の設置例を示す斜視図である。図６に示すように、十字形の切り込み線Ｌ１と円形の切り込み線Ｌ３の目的は、壁掛けラック０５の設置端０６がすでに壁上に設置された状態において、使用者は図板２０Ａを取り外すことができる。この時、十字形の切り込み線Ｌ１は図板２０Ａを破れやすくし、円形の切り込み線Ｌ３は円形上に切り込みが入る。これにより、壁掛けラック０５の設置端０６の内側に固定された円板をそのまま放置し、外側の余った部分を取り外すことができる。設置孔位置標示線２１７に設けられた切り込み線Ｌ２は、切り込み線Ｌ２内側部分を取り外すことにより、穴を形成し、ペン等で印をつけたり或はドリル３０のガイドとして穴を開けやすくしたりすることができる。
【００１５】
図７は、壁掛けラック装着用図板のパッケージ例を示す斜視図である。図８は、壁掛けラック装着用図板のパッケージ例を示す分解斜視図である。図７、８が示す如く、パッケージは１つのパッケージ板１５と、１つの図板２０Ｂとからなるパッケージ１０Ｂでもよく、パッケージ板１５は壁掛けラック０５を収納する収納空間１３Ｂを形成する。両側端に嵌合縁１６を有し、図板２０Ｂを嵌合縁１６内に設置することにより、図板２０Ｂはパッケージ１０Ｂの後板となり、且つ、パッケージ１０Ｂの上端付近に吊り掛け孔を有することにより、吊り掛け式中空空間形態を有する。
【００１６】
図９は、壁掛けラック装着用図板の組み込み方式を示す斜視図である。図９に示すように、上記図板は１つの付属カバー４０内に設置する図板２０Ｃでもよく、上記付属カバー４０をパッケージ１０Ｃの任意の外側面に結合（粘着或は紐で縛りつける等）させてもよい。
【００１７】
図１０は、本考案の第２実施例に係る壁掛けラック装着用図板を示す斜視図である。図１１は、壁掛けラック装着用図板のネジ穴位置標示図の局部を示す平面図である。図１０、１１は本考案の壁掛けラック装着用図板の構造を示す第２実施例で、壁掛けラック０５を収納することができる収納空間を具備する１つのパッケージ１０Ｄと、パッケージ１０Ｄの１つの面に一体成型される１つの図板２０Ｄとから構成される。図板２０Ｄは壁掛けラック０５の設置端０６を固定する為の（上記固定板）の設置孔０６１と相対する位置に1：1の比率で標示されたネジ穴位置標示図２１を具備する。ネジ穴位置標示図２１の円形の特徴、切り込み線、図板の用途及びその他使用方法は前述の第１実施例と同じである。
【００１８】
図板２０Ｄはフレーム状切り込み線５０によりパッケージ１０Ｄと半連結状態であり、図板２０Ｄだけを切り離し、単独で使用することができる。
【００１９】
図１２は、壁掛けラック装着用図板を切り離す状態を示す断面図である。図１３は、壁掛けラック装着用図板の設置例を示す図である。図１２に示すように、フレーム状切り込み線５０は少なくとも１つの角に扇状切り込み線５１を有し、扇状切り込み線５１の部分を指で開け、指を入れ、引っ張ることにより図板２０Ｄを簡単に切り離すことができる。図１３に示すように、図板２０Ｄは壁に貼り付け、ドリル３０で穴開けを行なうことができる。（設置方法は前述の第１実施例と同じである。）
また、図３、１１に示すように、上記各実施例の各図板２０Ａ、２０Ｄは側縁に寸法線５２（例：センチ、インチ）を印刷することができ、これにより、使用者は設置過程において距離を計ることができる。
【００２０】
図１４は、本考案の第３実施例に係る壁掛けラック装着用図板を示す斜視図である。図１５は、本考案の第４実施例に係る壁掛けラック装着用図板を示す斜視図である。本考案の壁掛けラック０５の形状については上記に示す実施例に限定されることなく、壁に設置する為の設置端０６を具備する限りはすべて本考案の範囲内である。図１４、１５に示すように、異なる形状（図１４では単座式壁掛けラック０５２、図１５では直立式壁掛けラック０５３）の壁掛けラック０５は多種存在し、すべて本考案の範囲内である。
【００２１】
上記において本考案の構成、特徴及び部分の位置関係を説明したが、以下において本考案の効果及び長所を詳述する。
１．図板の特殊構造により、壁掛けラック０５をより速く、且つ正確に装着することができる。
２．壁掛けラック０５のパッケージ１０Ａと図板２０Ａが結合し、図板２０Ａがパッケージ１０Ａの外から見やすい為、消費者に設置の簡単さをアピールすることができ、商品の付加価値を高め、更に消費者の購買意欲を高めることができる。
３．図板２０Ａとパッケージ１０Ａとを一体成型する構造により、製造者はコストを増やすことなく、迅速且つ、正確に装着を行なうことができる商品提供の目的を達成することができ、又、産業利用されやすいという特徴がある。
【００２２】
尚、本考案の壁掛けラック装着用図板は上記の構成に限定されることなく、本考案の壁掛けラック装着用図板を変形及び改良した構成においても適応可能である。
【図面の簡単な説明】
【００２３】
【図１】本考案の第１実施例に係る壁掛けラック装着用図板を示す斜視図である。
【図２】壁掛けラック装着用図板を組み合わせた状態を示す断面図である。
【図３】壁掛けラック装着用図板のネジ穴位置標示図の局部を示す平面図である。
【図４】壁掛けラック装着用図板の設置例を示す斜視図である。
【図５】壁掛けラック装着用図板の設置例を示す斜視図である。
【図６】壁掛けラック装着用図板の設置例を示す斜視図である。
【図７】壁掛けラック装着用図板のパッケージ例を示す斜視図である。
【図８】壁掛けラック装着用図板のパッケージ例を示す分解斜視図である。
【図９】壁掛けラック装着用図板の組み込み方式を示す斜視図である。
【図１０】本考案の第２実施例に係る壁掛けラック装着用図板を示す斜視図である。
【図１１】壁掛けラック装着用図板のネジ穴位置標示図の局部を示す平面図である。
【図１２】壁掛けラック装着用図板を切り離す状態を示す断面図である。
【図１３】壁掛けラック装着用図板の設置例を示す図である。
【図１４】本考案の第３実施例に係る壁掛けラック装着用図板を示す斜視図である。
【図１５】本考案の第４実施例に係る壁掛けラック装着用図板を示す斜視図である。
【図１６】従来の壁掛けラックの設置端の構造を示す分解斜視図である。
【図１７】従来の壁掛けラックの設置端を壁に設置した状態を示す断面図である。
【符号の説明】
【００２４】
０５、６０        壁掛けラック
０６              設置端
１０Ａ、１０Ｂ、１０Ｃ、１０Ｄ    パッケージ
１１              上パッケージ板
１２              下パッケージ板
１３Ａ            収納空間
１４              吊り掛け孔
１５              パッケージ板
１６              嵌合縁
２０Ａ、２０Ｂ、２０Ｃ、２０Ｄ    図板
２１              ネジ穴位置標示図
３０              ドリル
４０              付属カバー
５０              フレーム状切り込み線
０５２            単座式壁掛けラック
５２              寸法線
０６１            設置孔
６１              設置端
６２              固定板
６３              設置孔
６４              嵌合縁
６５              ネジ穴
６６              固定ネジ
６７              穴
６８              雌ネジアンカー
６９              ネジ
２１３            外観線
２１５            設置端位置標示線
２１７            設置孔位置標示線
Ｌ１、Ｌ２、Ｌ３  切り込み線
【図１】
0003100684.tif 000003
【図２】
0003100684.tif 000004
【図３】
0003100684.tif 000005
【図４】
0003100684.tif 000006
【図５】
0003100684.tif 000007
【図６】
0003100684.tif 000008
【図７】
0003100684.tif 000009
【図８】
0003100684.tif 000010
【図９】
0003100684.tif 000011
【図１０】
0003100684.tif 000012
【図１１】
0003100684.tif 000013
【図１２】
0003100684.tif 000014
【図１３】
0003100684.tif 000015
【図１４】
0003100684.tif 000016
【図１５】
0003100684.tif 000017
【図１６】
0003100684.tif 000018
【図１７】
0003100684.tif 000019